(57)【要約】【課題】  使用者等がその日の使用用途や服装等に応じて、その内容量やデザインを自由且つ簡単に変更でき、組み合わせ次第で様々な形態にすることができるバッグを提供する。【解決手段】  本来のバッグの基本形である袋状のものに提手が付いたものに、接続部材として掛部材を備えたものをメインバッグとし、メインバッグの掛部材に対応する受部材をサブバッグに備えることによって、サブバッグの配列が自在且つ着脱自在となり、組み足すサブバッグの大きさや形や数によってバッグの内容量を機能的かつ効果的に活用しうることが可能となり、また、いくつかのサブバッグのそれぞれの色、素材、形、模様の表面デザインの複数種類の組み合わせ、及び配列によって、内容量及びデザインも自由に変えることのできるバッグとなるようにした。【選択図】  図１
0003110597.tif 000002
【実用新案登録請求の範囲】
【請求項１】
メインバッグに掛部材を備え、様々な大きさや形を有するサブバッグにメインバッグの掛部材に対応する受部材を備えることにより、用途に応じていくつかのサブバッグとの組み合わせが着脱自在となり、メインバッグの内容量を機能的かつ効果的に活用しうることを可能としたことを特徴としたバッグ。
【請求項２】
掛部材を備えたメインバッグ、またメインバッグの掛部材に対応する受部材を備えた単体でも携帯の可能な体裁を備えた様々な大きさや形を有するいくつかのサブバッグのそれぞれの色、素材、形、模様の表面デザインの少なくともいずれかひとつが異なる複数種類の組み合わせ、及び様々ないくつかのサブバッグの配列が自在且つ着脱自在となることにより、複数種類に装飾を変えることを可能としたことを特徴とする請求項１記載のバッグ。
【考案の詳細な説明】
【考案の詳細な説明】
【技術分野】
【０００１】  本考案は、使用者等が必要とする時に、メインバッグと、メインバッグに対応する様々な大きさや形のいくつかのサブバッグとの組み合わせ次第で自在に内容量を機能的かつ効果的に変えることができ、また、表面デザインの異なるメインバッグとサブバッグとの組み合わせ及び配列により、複数種類に装飾を変えることができるバッグに関する。
【背景技術】
【０００２】  従来バッグは、大きさ、色、素材等、様々な種類が提供されているが、それらのほとんどは大きさやデザインが固定されたものであり、使用者によって形態を変えることはできないものだった。
【考案が解決しようとする課題】
【０００３】  上記従来のバッグの形態により、使用者等は使用用途や服装等、いわゆるＴＰＯにあわせて個々に様々なバッグを用意しなければならず、不経済であった。
そこで本考案は、上記従来のバッグにおける問題を解消し、使用者等が自由且つ簡単に使用用途や服装等に合う内容量やデザインに変更でき、組み合わせ次第で様々な形態に変えることができるバッグの提供を課題とする。
【問題を解決するための手段】
【０００４】  こうした上記課題を解決すべく、本考案のバッグは、本来のバッグの基本形である袋状のものに提手が付いたものに、掛部材としておこし金具、ひねり金具、スナップ釦、釦、ファスナー等を備えたものをメインバッグとし、メインバッグの掛部材に対応する受部材を様々な大きさや形を有するをいくつかのサブバッグに備えることによって、サブバッグの配列が自在且つ着脱自在となり、組み足すサブバッグの大きさや形や数によってバッグの内容量を機能的かつ効果的に活用しうることを可能としたことを第１の特徴としている。
また、本考案のバッグは、上記第１の特徴に加え、掛部材を備えたメインバッグと、メインバッグの掛部材に対応する受部材を備えた様々な大きさや形を有するいくつかのサブバッグのそれぞれの色、素材、形、模様の表面デザインの少なくともいずれかひとつが異なる複数種類の組み合わせ、及び様々ないくつかのサブバッグの配列が自在且つ着脱自在となるため、内容量及びデザインも自由に変えることのできるバッグとなるようにしたことを第２の特徴としている。
【０００５】  上記第１の特徴によればこのバッグの使用者等は、予め所有しているメインバッグといくつかのサブバッグを着脱自在の接続部材によって自由且つ簡単に組み合わせることが可能となり、荷物の量等で異なる使用用途に合わせてバッグの内容量を機能的かつ効果的に活用できる。
【０００６】  また、上記第２の特徴によれば、このバッグの使用者等は、上記第１の特徴による作用効果に加え、掛部材を備えたメインバッグと、メインバッグの掛部材に対応する受部材を備えた様々な大きさや形を有するいくつかのサブバッグのそれぞれの色、素材、形、模様の表面デザインの少なくともいずれかひとつが異なる複数種類の組み合わせ及び配列を自由に変えることで、様々な装飾のバリエーションを得ることができ、使用用途、服装、季節、あるいはその日の気分等に応じてデザインの異なる様々な形態のバッグに変えることができる。
【考案を実施するための最良の形態】
【０００７】  以下、本考案の実施形態を図面に基づいて説明する。尚、図は本考案の一実施例であるバッグを示したものであるが、本考案はこの実施例に限定するものではない。本考案のバッグは、図１に示すように、提手及び開口部を含む掛部材を備えたメインバッグＡ、メインバッグＡの掛部材に対応する受部材を備えた様々な大きさや形を有するいくつかのサブバッグＢから構成されるバッグである。【０００８】  図１は、本考案のバッグの正面図、図２は同側面図である。図３に示すように、メインバッグＡには掛部材１ａ、サブバッグＢにはメインバッグＡの掛部材１ａに対応する受部材１ｂがそれぞれ備えられており、図４に示すようにそれぞれの接続部材の大きさ及び間隔が同寸であることでメインバッグＡ、サブバッグＢを自由且つ簡単に組み合わせることが可能になる。【０００９】  以上により、図５に示すように、組み足すサブバッグＢの数、もしくは大きさ、もしくは形によっていくらでもその内容量を自由且つ簡単に変えることが可能であり、本考案は図１及び図２の限りではない。【００１０】  上記の特徴から、本考案のバッグは、本考案のバッグは、図３（Ａ）に示すように最小の状態であるメインバッグＡのみのシンプルな形態から、図５に示すように必要に応じて様々な形態のサブバッグＢを組み足すことで、持ち運ぶ物を個別に分けて内容量を多くすることができる。また、通勤、通学等で、ノートや雑誌、また定期入れや携帯電話を持ち運ぶときは、図５（Ａ）のようにメインバッグＡにノートや雑誌等を収納し、定期入れや携帯電話等はそれぞれの大きさに合ったサブバッグＢに小分けに収納し持ち運ぶことで、出し入れがスムーズになると同時に内容量を増やすことが可能となる。【００１１】  また、掛部材を備えたメインバッグと、メインバッグの掛部材に対応する受部材を備えた様々な大きさや形を有するいくつかのサブバッグのそれぞれの色、素材、形、模様の表面デザインの少なくともいずれかひとつが異なる複数種類の組み合わせ及び配列を自由に変えることで、様々な装飾のバリエーションを得ることができる。例えば、図５（Ｄ）の形態でメインバッグＡが黒、サブバッグＢ２が灰色だった場合、モノトーンで落ち着いたバッグであるが、そこへ図５（Ｂ）の形態のように組み足したサブバッグＢ３の色を赤にすることで明るく目立った印象のバッグとなり、また、青にすることで涼しげな印象のバッグになる等、一部の表面デザインを変えるだけで様々なデザインの異なるバッグに変えることができる。【００１２】  本考案のバッグの形態は前記実施例に限定されるものではなく、ポシェット、ポーチ、トートバッグ、小物入れ、旅行鞄など、公知のバッグ形態を使用することができる。【００１３】  本考案のバッグの生地の素材は、布地、皮、化学（合成樹脂）繊維、紙等で、その他にゴム材や、可能であれば柔軟な金属材等を使用してもよい。また、接続部材はおこし金具、ひねり金具、スナップ釦、釦、ファスナー等、着脱自在の部材であればどのような材質でも使用可能である。
【考案の効果】
【００１４】  本考案は以上の構成、作用により、接続部分の大きさ及び間隔が同寸である掛部材を備えたメインバッグＡ、受部材を備えたサブバッグＢからなるふたつの形状の接続部材によってそれぞれが着脱自在となることで、使用用途によってバッグの内容量を自由且つ簡単に変えることが可能になり、使用者等は内容量の違う様々なバッグを購入することなく、使い勝手の良いバッグへ自らの手によって簡単に形態を変えることができるという優れた効果を奏するものである。
【００１５】  また、上記の効果に加え、掛部材を備えたメインバッグと、メインバッグの掛部材に対応する受部材を備えた様々な大きさや形を有するいくつかのサブバッグのそれぞれの色、素材、形、模様の表面デザインの少なくともいずれかひとつが異なる複数種類の組み合わせ及び配列を自由に変えることで、様々な装飾のバリエーションを得ることが可能となり、使用者等は使用用途、服装、季節、あるいはその日の気分に応じてデザインの異なる様々な形態のバッグに自らの手によって簡単に変えることができるという優れた効果を奏するものである。
【図面の簡単な説明】
【００１６】
【図１】  本考案の一実施形態を示す正面図である。
【図２】  本考案の一実施形態を示す側面図である。
【図３】  （Ａ）はメインバッグ、（Ｂ）（Ｃ）（Ｄ）はサブバッグの、それぞれ一実施形態を示す正面図である。
【図４】  （Ａ）（Ｂ）（Ｃ）はそれぞれのメインバッグとサブバッグの接続部分である掛部材と受部材を示す説明図である。
【図５】  （Ａ）はメインバッグＡとサブバッグＢ１、Ｂ２、Ｂ３、（Ｂ）はメインバッグＡとサブバッグＢ２、Ｂ３、（Ｃ）はメインバッグＡとサブバッグＢ１、（Ｄ）はメインバッグＡとサブバッグＢ２、（Ｅ）ははメインバッグＡとサブバッグＢ１、Ｂ３、（Ｆ）はメインバッグＡとサブバッグＢ３を３個を、それぞれ組み合わせた一実施形態を示す正面図である。
【符号の説明】
【００１７】  Ａ・・・・・メインバッグ
Ｂ・・・・・サブバッグ
Ｂ１・・・・サブバッグの一形態
Ｂ２・・・・サブバッグの一形態
Ｂ３・・・・サブバッグの一形態
Ｚ・・・・・バッグ本体
１・・・・・接続部材
１ａ・・・・掛部材
１ｂ・・・・受部材
２・・・・・提手
３・・・・・開口部
【図１】
0003110597.tif 000003
【図２】
0003110597.tif 000004
【図３】
0003110597.tif 000005
【図４】
0003110597.tif 000006
【図５】
0003110597.tif 000007